Podtech/llm-jp-corpus-v4-ja_patent huggingface dataset:
(57)【要約】      （修正有）【課題】高所になった果実のもぎり作業にあっても、果実の落下を防止できる高枝バサミの枝止め金具の面を、容易に判別できる構造とした高枝バサミを提供する。【解決手段】高枝バサミにおいて、枝止め金具側の面と枝切断歯側の面に、それぞれ別の色を目印として塗布する。塗布した色の目印にして、果実を枝止金具側に合わせて切断することで、果実が切断時に落下することを防止する。【選択図】図２
0003147248.tif 000002
【実用新案登録請求の範囲】
【請求項１】
高枝バサミの枝止め金具側と枝切断歯側を色分け目印を付けて、果実の落下を防止する
【考案の詳細な説明】
【考案の開示】
【考案が解決しようとする課題】高枝バサミのためハサミが遠方となり枝切断歯と枝止め金具が見えにくく果実を落下させ資源が大量の無駄になっている
【課題を解決するための手段】高枝バサミの歯側と枝止め金具側に目印となる色分けすることにより、果実と枝止め金具を合せることで落下を防止する
【考案の効果】一度落下した果実は腐りダメになり日本全国にすると大量の資源の無駄となっている。
この印を付けて果実を落下させないことで資源を有効に活用できる。
【図面の簡単な説明】図Ｉ、ＩＩ、枝止め金具側と切断歯側に色分けして枝止め金具と果実を合せることで落下しない。
【符号の説明】
▲１▼枝止め金具
▲２▼切断歯
▲３▼高枝バサミにぎり
【図Ｉ】
0003147248.tif 000003
【図ＩＩ】
0003147248.tif 000004
【手続補正書】
【提出日】平成20年9月25日(2008.9.25)
【手続補正１】
【補正対象書類名】実用新案登録請求の範囲
【補正対象項目名】全文
【補正方法】変更
【補正の内容】
【実用新案登録請求の範囲】
【請求項１】
高枝バサミの枝止め金具側と枝切断歯側に、目印となる色分けが高枝バサミのパイプになされていることを特徴とする高枝バサミ。
【手続補正２】
【補正対象書類名】明細書
【補正対象項目名】全文
【補正方法】変更
【補正の内容】
【考案の詳細な説明】
【考案の開示】
【考案が解決しようとする課題】高枝バサミのためハサミが遠方となり枝切断歯と枝止め金具が見えにくく果実を落下させ資源が大量の無駄になっている
【課題を解決するための手段】高枝バサミの歯側と枝止め金具側に目印となる色分けすることにより、果実と枝止め金具を合せることで落下を防止する
【考案の効果】一度落下した果実は腐りダメになり日本全国にすると大量の資源の無駄となっている。
この印を付けて果実を落下させないことで資源を有効に活用できる。
【図面の簡単な説明】
【図１】は、平面図である。
【図２】は、断面図である。
【符号の説明】
１  枝止め金具
２  切断歯
３  高枝バサミにぎり
【手続補正３】
【補正対象書類名】図面
【補正対象項目名】全図
【補正方法】変更
【補正の内容】
【図１】
0003147248.tif 000005
【図２】
0003147248.tif 000006
(57)【要約】      （修正有）【課題】普段は折り畳んで財布として使用し、必要になったら展開してバッグとして使用できるようにすることで、買い物バッグを忘れるという問題を解決したバッグから財布へ変形するバッグを提供する。【解決手段】バッグ部分には薄手で軽い生地を使い、収納時の容積を出来るだけ抑え、収納時に邪魔にならないようにする。また、財布機能部は一般的な財布として使用できるように、付属品としてではなく財布としての機能を重視し、札・小銭・カードが収納出来る物にし、バッグ内側に折り畳みを考慮して配置縫合する。また、バッグ部収納時は収納しやすいよう考慮する。【選択図】図１
0003147246.tif 000002
【実用新案登録請求の範囲】
【請求項１】
１．バッグ本体に財布機能を付加させ、バッグを折りたたんで収納した際は、財布状態で携帯できるバッグ。
２．バッグ状態の時はバッグの内側に財布が配置されるバッグ。
【考案の詳細な説明】
【技術分野】
【０００１】本考案は、バッグから財布へ変形し、バッグ状態では財布機能をバッグ内に配置できるバッグに関する物である。
【背景技術】
【０００２】買い物に行く際に、自分の買い物トートバッグを忘れてしまうケースが多く、レジ袋を受け取る事が多く発生していた。
【考案の開示】
【考案が解決しようとする課題】
【０００３】折りたたみ式の買い物バッグ等では、意識して持って行かなければならないため、使いたいときに忘れてしまう。従って、買い物の時には必ず持って行く財布に着眼し、普段は折り畳んで財布として使用し、必要になったら展開してバッグとして使用できるようにすることで、買い物バッグを忘れるという問題を解決する物である。
【課題を解決するための手段】
【０００４】本考案は、バッグ本体に財布機能部を付加し、財布機能部にバッグを収納する機構を設ける。また、バッグ本体は可能な限り薄手の生地を使って作成し、収納時に邪魔にならないようにする。この２点によって、収納時には市場の財布と近いサイズの財布状態となり、買い物に財布を持っていくように、この財布状のバッグを持って行くことで問題を解決している。
【考案の効果】
【０００５】上述の様に、本考案のバッグから財布へ変形するバッグは、バッグとして使用することは勿論、財布としても使用でき、財布状態のバッグを財布として持って行けば、買い物バッグを忘れることなく、エコ活動の一環のレジ袋削減に貢献することが出来る。
【考案の実施するための最良の形態】
【０００６】バッグ部分には薄手で軽い生地を使い、収納時の容積を出来るだけ抑え、収納時に邪魔にならないようにする。また、財布機能部は一般的な財布として使用できるように、付属品としてではなく財布としての機能を重視し、札・小銭・カードが収納出来る物にし、バッグ内側に折り畳みを考慮して配置縫合する。また、バッグ部収納時は収納しやすいよう考慮する。
【実施例】
【０００７】財布機能部はバッグの内側に配置されるように一部を縫合する。財布機能部にバッグを収納固定する部分を設置する。バッグ収納時はバッグ内側から引っ張り出し、バッグ部を折り畳んで、財布機能部のバッグ収納固定部で固定収納する。
【図面の簡単な説明】
【０００８】
【図１】バッグ状態の図である。
【図２】バッグ収納時の財布状態の図である。
【符号の説明】
【０００９】  １  バッグ部
２  財布機能部
３  札入れ
４  小銭入れ
５  カード類入れ
６  財布蓋
７  収納固定部
【図１】
0003147246.tif 000003
【図２】
0003147246.tif 000004
【手続補正書】
【提出日】平成20年8月5日(2008.8.5)
【手続補正１】
【補正対象書類名】実用新案登録請求の範囲
【補正対象項目名】全文
【補正方法】変更
【補正の内容】
【実用新案登録請求の範囲】
【請求項１】
バッグから財布へ変形するバッグにおいて、
（１）  財布機能部分にバッグを収納固定するポケット又はベルトを設置し、バッグ部分を折り畳んで収納固定した際は、財布として携帯できる、
（２）  バッグ状態の際は、財布機能部分がバッグの内側に配置される、
以上からなるバッグから財布へ変形するバッグ
(57)【要約】【課題】  簡単な機構でありながら、相手が居なくても卓球の練習が１人で出来て、ドライブショットのリアルな打球感覚が得られる卓球トレーニング器具を提供する。【解決手段】  保持台（１）をクランプ（２）で台に取り付けて、収納管（３）に曲がる部材（４）を収納出来るように形成しており、高さを調整出来るようにした。曲がる部材（４）は、詳細な高さ等の位置を確定するために曲がる部材（４）を使用した。ピンポン玉回転軸（６）はピンポン玉（７）を打球した時にピンポン玉が回転するように設けた。さらに、揺動部材（５）は打球する力で揺れる事により、１人で実際に卓球の玉を打つ時のドライブショットのリアルな感覚の練習が出来るようにした卓球トレーニング器具。【選択図】図１
0003147245.tif 000002
【実用新案登録請求の範囲】
【請求項１】
卓球トレーニング器具であって、卓球トレーニング器具は、保持台、クランプ、収納管、曲がる部材、揺動部材、ピンポン玉回転軸、ピンポン玉で構成されており、前記の部材で、先ず保持台をクランプで台に固定出来るようにし、収納管は、曲がる部材を収納出来るように形成しており、高さを調整出来るようにした。曲がる部材は、詳細な高さ等の位置を確定するために、曲がる部材を使用した。ピンポン玉回転軸はピンポン玉を打球した時にピンポン玉が回転するように設けた。さらに、揺動部材は打球する力で揺れる事により、１人で実際に卓球の玉を打つ時のドライブショットのリアルな感覚の練習が出来るようにした卓球トレーニング器具。
【考案の詳細な説明】
【技術分野】
【０００１】  本考案は、卓球トレーニングに関するものである。
【背景技術】
【０００２】  一般に玉を使用しての卓球トレーニングは、相手が居ないと練習が出来ません、又、投球器具を使用したり、ネットを張ったりめんどうである。
【考案の開示】
【考案が解決しようとする課題】
【０００３】  本考案は以上の実情に鑑みて開発したものであって、目的とするところは、一人で練習が出来、実際に卓球のボールを打つ時の、ドライブショットのリアルな感覚の練習が出来る事を提供することにある。
【問題を解決するための手段】
【０００４】  前記した目的を達成するために、請求項１の記載の卓球トレーニング器具は、保持台、クランプ、収納管、曲がる部材、揺動部材、ピンポン玉回転軸、ピンポン玉で構成されており、前記の部材で、先ず保持台をクランプで台に固定出来るようにし、収納管は、曲がる部材を収納出来るように形成されており、打球位置の高さを調整出来るようにした。曲がる部材は、詳細な高さ等の位置を確定するために、曲がる部材を使用した。ピンポン玉回転軸はピンポン玉を打球した時にピンポン玉が回転するように設けた。さらに、揺動部材は打球の力で揺れる事により、１人で実際に卓球の玉を打つ時のドライブショットのリアルな感覚の練習が出来るようにした。
【考案の効果】
【０００５】  卓球トレーニング器具の使用で、簡単に相手が居なくても１人で練習が出来、実際に卓球のボールを打つ時のドライブショットの、リアルな感覚の練習が出来る。
【考案を実施するための最良の形態】
【０００６】  使用に際しては、保持台（１）をクランプ（２）で台に取り付けて、曲がる部材（４）を、収納管（３）に出し入れを行い、打球位置の高さを調整して、曲がる部材（４）を曲げ等して位置を確定する。ピンポン玉（７）を打球する時にピンポン玉（７）がピンポン玉回転軸（６）により回転する。打球の力で揺動部材（５）が揺れる事により、実際に卓球の玉を打つ時のドライブショットのリアルな感覚の練習が１人で出来る事を特徴とする、卓球トレーニング器具。
【図面の簡単な説明】
【０００７】
【図１】  形態を示す全体図
【図２】  伸縮形態を示す全体図
【図３】  曲げている形態を示す全体図
【符号の説明】
【０００８】      ▲１▼保持台
▲２▼クランプ
▲３▼収納管
▲４▼曲がる部材
▲５▼揺動部材
▲６▼ピンポン玉回転軸
▲７▼ピンポン玉
【図１】
0003147245.tif 000003
【図２】
0003147245.tif 000004
【図３】
0003147245.tif 000005
【手続補正書】
【提出日】平成20年6月28日(2008.6.28)
【手続補正１】
【補正対象書類名】実用新案登録請求の範囲
【補正対象項目名】全文
【補正方法】変更
【補正の内容】
【実用新案登録請求の範囲】
【請求項１】
卓球トレーニング器具であって、保持台、クランプ、収納管、曲がる部材、揺動部材、ピンポン玉回転軸、ピンポン玉、以上の構成からなる卓球トレーニング器具。
【手続補正書】
【提出日】平成20年9月22日(2008.9.22)
【手続補正１】
【補正対象書類名】実用新案登録請求の範囲
【補正対象項目名】全文
【補正方法】変更
【補正の内容】
【実用新案登録請求の範囲】
【請求項１】
卓球トレーニング器具であって、卓球トレーニング器具は、保持台、クランプ、収納管、曲がる部材、揺動部材、ピンポン玉回転軸、ピンポン玉で構成されており、前記の部材で、先ず保持台をクランプで台に固定出来るようにし、収納管は、曲がる部材を収納出来るように形成しており、高さも調整出来るようにし、曲がる部材は、詳細な高さ等の位置を確定するために曲がる部材を使用して、ピンポン玉回転軸はピンポン玉を打球した時にピンポン玉が回転するように設け、さらに、揺動部材は打球する力で揺れる事により１人で実際に卓球の玉を打つ時のドライブショットのリアルな感覚の練習が出来るようにした卓球トレーニング器具。
(57)【要約】      （修正有）【課題】足裏の接地状況を簡単にそして鮮明に写し長期保存のできる足形写しシートを提供する。【解決手段】足形写しシートは台紙１とカーボン紙２の２枚で構成される。台紙に於いては、厚紙３の片面に粘着剤４を塗る、その表面を顔料５で被覆し粘着の点々を作る。粘着の点の直径６、点と点との間隔７である。カーボン紙に於いては、軟質樹脂シート８にカーボン粉９を付着処理をする。【選択図】図１
0003147244.tif 000002
【実用新案登録請求の範囲】
【請求項１】
シートの片面に平面の位置より２０μから１００μの範囲の低い位置に直径０．５ｍｍから１．５ｍｍの範囲で乾燥しない粘着剤の点を作る、点と点の間隔は１．０ｍｍから３．０ｍｍの範囲でシートの片面の全面に点の粘着剤を塗ったものを台紙とする。別途用意をした着色カーボン粉を付着したカーボン紙の付着面を台紙の粘着面に貼り合わせ。カーボン紙側に足をのせて足形を写し撮る。カーボン紙を取り除き台紙に写った足形を観察する足形写しシートである。
【考案の詳細な説明】
【考案の詳略名説明】
【産業上の利用分野】
この考案は、足裏の接地状況をシートに写し撮る方法である。足裏接地の足形は、健康な足形が理想である。しかし、体のストレスの一因と足形は、浮きゆび、偏平足、細長足、外反母趾、ハイアーチ、左右不対象の足形がある。これらは足形写すシートで判明できる。足裏の接地状況を簡単にそして鮮明に写し長期保存のできる足形写しシートである。
【背景技術】足形をとる際、足裏に墨やインクを付け紙に押し付けた。
【考案が解決しようとする課題】
足形をとる作業の際、足にインクを付ける工程をなくす。足裏の写りのムラを少なくし正確な足形を写す。インクで手や衣服を汚すことなく写す作業は簡単であること。携帯に便利なこと。誰でも簡単に足の裏を写し撮ることである。
【課題を解決する手段】
本考案は、台紙の片面に塗った粘着剤は平面より凹面にある点状であること。カーボン紙のカーボンは粉状で付着していること。依って足をのせたとき加重の濃淡の分布がカーボン色で写し出される。加重が加わらない部分はカーボン面が粘着剤に触れないためカーボンの色が付かない。カーボン紙を剥がすと足形が鮮明に写し撮れる。
【作用】
台紙の片面に塗られた粘着剤の表面を、点状を残して顔料で被覆する。点状の粘着剤表面は被覆の厚さ分だけ凹面となる。この面にカーボン面をのせて足を静かにのせ、体を正姿勢することで粘着剤のわずかな弾性が点状の穴から盛り上がりカーボン粉を付着することになる。のせた足を降ろし、カーボン紙を剥がして除けば、足の裏の接地力分布が足形として写し出される。
【実施例】なお、実施にあたっては、次のことが考えられる。
（イ）  作業中、手や衣服を汚さない。
（ロ）  足形の写し撮りは、場所を選ばず短時間に誰にでも出来る。
（ハ）  写し撮った形は鮮明である。
（ニ）  保存性が良い。
（ホ）  保護透明シートを貼ることで、文字を書いたり消したりが出来る。
（ヘ）  複写機で複写ができる。
【考案の効果】
園児、学童、大人の足裏接地状況を観察するとき、写しの失敗が少なく、作業が早いため効率が良い。写った面に透明シートをのせれば粘着面の作用で剥れにくく保護シートになる。乱暴な扱えに耐えられる。
【図面の簡単な説明】
【図１】本考案の拡大断面図である。足形写しシートは台紙（１）とカーボン紙（２）の２枚で構成される。台紙に於いては、厚紙（３）の片面に粘着剤（４）を塗る、その表面を顔料（５）で被覆し粘着の点々を作る。粘着の点の直径（６）、点と点との間隔（７）である。カーボン紙に於いては、軟質樹脂シート（８）にカーボン粉（９）を付着処理をする。
【図２】足をのせたとき押し付けられたカーボン紙のカーボン粉が粘着に付着する様子を表した拡大断面図である。
【図３】使用する際の説明図である。台紙（１）の粘着面を上向きに硬い平面の床に置く。次にカーボン紙（２）のカーボン面を下向きにして台紙（１）に重ねる。
【図４】使用する際の説明図である。カーボン紙の上に足を踵からゆび側の順に静かにのせる。姿勢を正し直立不動に立ち反対側の足の膝を軽く曲げ体重を僅か足形を写そうとしている足側に移動させる。３秒位で足形写しシートからのせた足を外す。
【図５】使用する際の説明図である。カーボン紙を剥がす。
【図６】使用する際の説明図である。長期保存や文字を書くときは透明保護シートを貼る。
【符号の説明】
１、  台紙
２、  カーボン紙
３、  厚紙
４、  粘着剤
５、  顔料にて被覆
６、  粘着点の直径
７、  粘着点と粘着点の間隔
８、  軟質樹脂シート
９、  カーボン粉
１０，  透明保護シート
【図１】
0003147244.tif 000003
【図２】
0003147244.tif 000004
【図３】
0003147244.tif 000005
【図４】
0003147244.tif 000006
【図５】
0003147244.tif 000007
【図６】
0003147244.tif 000008
【手続補正書】
【提出日】平成20年5月20日(2008.5.20)
【手続補正１】
【補正対象書類名】実用新案登録請求の範囲
【補正対象項目名】全文
【補正方法】変更
【補正の内容】
【実用新案登録請求の範囲】
【請求項１】
足形を写す面に円形状の点点の粘着を施した写しシート。別のシートに着色粉末を付着させた着色シート。写しシートと着色シートに於いて、写しシートの粘着面に着色シートの着色面を合わせ、写しシート側を下側にして床に置き、着色シート側から足を押し付けた後着色シートを取り除く、粘着面に着色粉末が付くことで、写し出された足形を見る足形写しシートである。
【手続補正書】
【提出日】平成20年9月10日(2008.9.10)
【手続補正１】
【補正対象書類名】実用新案登録請求の範囲
【補正対象項目名】全文
【補正方法】変更
【補正の内容】
【実用新案登録請求の範囲】
【請求項１】
足形写しシートは、足裏の接地形を写し撮り保存するシートと足形を写し撮る際着色する着色シートの２枚で構成する、着色シートの着色面は粉末着色顔料を付着したもの、保存するシートは接着面を円形の点点でシート面より低くし、加圧の大小によって接着力が変わる構造とした、保存するシートの接着面と着色シートの着色面とを着き合わせ着色シートを上にして平面の床に置き足をのせ、足を外し、着色シート剥がして保存するシートに写し出された足形の確認ができる足形写しシート。
(57)【要約】      （修正有）【課題】長さをポケットサイズにし、楽に携帯でき、つぼ押しをすることができる磁石組込み型つぼ押し棒を提供する。【解決手段】先端を丸く滑らかに仕上げた棒の中に磁石を組込んだことを特徴とする磁石組込み型つぼ押し棒である。つぼ押し棒の外径をペンサイズに細くし、握ったときに棒の先が握り拳から少し出る程度の長さにすることで持ち運びを便利にし、また棒の内部に磁石を組み込むことで磁力効果も付け足される。【選択図】図１
0003147249.tif 000002
【実用新案登録請求の範囲】
【請求項１】
先端を丸く滑らかに仕上げた棒の中に磁石を組込み、磁石組込み型つぼ押し棒とした。
【請求項２】
木の棒の両端に磁石を埋め込み、その木の中心に小穴を明け糸を通すことにより、その糸で全体をぶらさげる。磁気つぼ押し棒で南北の方位を知ることができる。
【考案の詳細な説明】
【技術分野】
【０００１】  本考案は、両端をなめらかに仕上げた棒の中に磁石を組込んだ、つぼ押し棒に関するものである。
【背景技術】
【０００２】  従来のつぼ押し棒は握り易くするため太いものが多く、その為携帯するには不便であった。また、磁力を用いたこりほぐしは磁石を身に付けたり転がしているだけであった。
【考案の開示】
【考案が解決しようとする課題】
【０００３】  従来のつぼ押し棒は、棒を手でしっかり握るという考えから外径の太い物が多かった。そのため、持ち運びに不便である。また使っているときは目立ちすぎるため、女性には敬遠されがちであった。
【課題を解決するための手段】
【０００４】  本考案は、つぼ押し棒の外径をペンサイズに細くし、握ったときに棒の先が握り拳から少し出っ張る程度の長さにした。【０００５】また、棒の内部に磁石を組込み磁力効果を足したつぼ押し棒である。【０００６】  また、棒の中心に穴を設け、糸で全体をぶら下げることで簡単に南北の方角を知ることができる。
【考案の効果】
【０００７】  上述の様に人目を気にすることなく、つぼをピンポイントで押すことができる。【０００８】  組み込まれている磁石を利用し南北の方角を知ることができる。
【考案を実施するための最良の形態】
【０００９】  外径を細くし、軽い力で深くつぼを押すことができる。【００１０】  長さも１０ｃｍ前後とポケットサイズなので手軽につぼ押しができる。
【実施例】  以下、添付図面に従って一実施例を説明する。図１の１・３は木・プラスチックス等適宜素材からなる磁石室を持ったつぼ押し棒本体、２は組み込まれている磁石
４は吊り下げ用の糸。６はバランスを調整するリングである。
普段糸は３の本体に巻きつけておき６のリングでカバーしておく。
５は青色塗装、７は赤色塗装を示す。
【図面の簡単な説明】
【００１１】
【図１】  磁石入りつぼ押し棒の構造図である。
【図２】  首の付け根のつぼを押すときの棒の持ち方の図である。
【図３】  斜視図  本考案の磁石入りつぼ押し棒で、糸でぶら下げた状態を表す。
【符号の説明】
【００１２】１  フタ
２．磁石
３．本体
４．糸
５．青色
６．バランス
７．赤色
【図１】
0003147249.tif 000003
【図２】
0003147249.tif 000004
【図３】
0003147249.tif 000005
【手続補正書】
【提出日】平成20年7月7日(2008.7.7)
【手続補正１】
【補正対象書類名】図面
【補正対象項目名】全図
【補正方法】変更
【補正の内容】
【図１】
0003147249.tif 000006
【図２】
0003147249.tif 000007
【図３】
0003147249.tif 000008
【手続補正書】
【提出日】平成20年10月2日(2008.10.2)
【手続補正１】
【補正対象書類名】実用新案登録請求の範囲
【補正対象項目名】全文
【補正方法】変更
【補正の内容】
【実用新案登録請求の範囲】
【請求項１】
先端を丸く滑らかに仕上げた棒の中に磁石を組込んだ、磁石組込み型つぼ押し棒。
【手続補正２】
【補正対象書類名】明細書
【補正対象項目名】全文
【補正方法】変更
【補正の内容】
【考案の詳細な説明】
【技術分野】
【０００１】  本考案は、両端をなめらかに仕上げた棒の中に磁石を組込んだ、つぼ押し棒に関するものである。
【背景技術】
【０００２】  従来のつぼ押し棒は握り易くするため太いものが多く、その為携帯するには不便であった。
【考案の開示】
【考案が解決しようとする課題】
【０００３】  従来のつぼ押し棒は、棒を手でしっかり握るという考えから外径の太い物が多かった。そのため、持ち運びに不便である。
【課題を解決するための手段】
【０００４】  本考案は、つぼ押し棒の外径をペンサイズに細くし、握ったときに棒の先が握り拳から少し出っ張る程度の長さにした。【０００５】また、棒の内部に磁石を組込み磁力効果を足したつぼ押し棒である。【０００６】  外径を細くし、軽い力で深くつぼを押すことができる。
【考案の効果】
【０００７】  つぼをピンポイントで押すことができる。
【考案を実施するための最良の形態】
【０００８】  長さをポケットサイズにし、楽に携帯でき、つぼ押しができる。
【実施例】  以下、添付図面に従って一実施例を説明する。【０００９】  図１は木製素材のつぼ押し棒全体図。【００１０】  図２は構造図。
【図面の簡単な説明】
【００１１】
【図１】  本考案の磁石入りつぼ押し棒。
【図２】  磁石入りつぼ押し棒の構造図である。
【符号の説明】
【００１２】  １．本体
２．磁石
３．蓋
【手続補正３】
【補正対象書類名】図面
【補正対象項目名】全図
【補正方法】変更
【補正の内容】
【図１】
0003147249.tif 000009
【図２】
0003147249.tif 000010
(57)【要約】      （修正有）【課題】タバコの蓋を改良し、タバコを取り出し、箱の蓋を閉める時、内箱又は内張りと開閉蓋とのくい違いをなくし、スムーズに閉められるようにして、面倒、イライラをなくし、大切な時間、憩いの一服、又大切な気分を損なわないタバコボックスを提供する。【解決手段】タバコボックス本体１と開閉蓋２の側面合わせ切断線をスムースライン曲線４にする事によって、開閉蓋２と内箱又は内張り５との接触面６が大幅に広くなり、大きく開けても開閉蓋２と内箱又は内張り５がくい違わずにスムーズに閉めることができるようにした。又スムースライン曲線とはボックスの強度とデザインを生かしなおスムーズに開閉できるようにしたものである。【選択図】図１−２
0003147247.tif 000002
【実用新案登録請求の範囲】
【請求項１】
タバコの箱の開閉蓋側面の形状を斜め直線から曲線に変えることにより、蓋と内箱のくい違いをなくし、大きく開けてもスムーズに開閉できるようにしたところが特徴とする曲線による、スムースラインタバコボックス。
角にＲの付いたボックスと、角にＲのないボックスにも適用できるものである。
【考案の詳細な説明】
【技術分野】
【０００１】  本考案は、タバコボックスの開閉蓋をスムーズにするものである。
【背景技術】
【０００２】  タバコボックスの蓋を開け、中のタバコを取り出し、蓋を閉める時ボックスの側面の中箱と外箱が互いにくい違い、何回も内箱を押えたりしながら慎重に閉めていた。
【考案の開示】
【考案が解決しようとする課題】
【０００３】  以前のタバコボックスは、タバコを吸うたびに、開閉に手間取り、面倒でイライラが募っていた。
【課題を解決するための手段】
【０００４】  本考案は、タバコボックスの蓋側面の合わせ面の形状を斜め直線であったものを曲線にして、大きく開いても内箱と外箱がくい違わないようにして、強度も維持しつつ、スムーズに開閉するよう曲線によって解決したものである。
【考案の効果】
【０００５】  大切な時間、憩いの一服、休息の時間を面倒、イライラから解放され、有意義な気分と時間を過ごすことができる。
【考案の実施するための最良の形態】
【０００６】  この考案を実施する、又は製作するには、タバコの箱の蓋側面の合わせ口を斜め直線から曲線に変えるだけで済み、実用化は、た易いと思われる。
ただ、ボックスの強度と曲線スムースラインとの兼ね合いを考えて、角にＲの付いたボックスにはそれなりの、角にＲのないボックスにはそれなりの強度を維持しつつ大きく開けてもくい違わないよう考案したもの。
【実施例】
【０００７】  以下、添付図面に従って実施例を説明する。
１はボックス本体、２はボックス開閉蓋、３は旧切断線、４は新しく考案した切断線、（以下スムースラインと呼ぶ）、５は内箱又は内張り、６は蓋を開けた時の接触面、図面１は角にＲの付いたボックス、図面２は角にＲの付かないボックスの図。
破線で表す４のスムースラインのために、蓋を大きく開けた時、６の接触面が大きいので、内、外に、互いにくい違わなくて、スムーズに閉めることができる。
なお、図面２で表した角にＲのないボックスにおいては、図面１で表したＲの付いたボックスよりも、なお大きく開けても、内外にくい違わずに閉めることができる。
【図面の簡単な説明】
【０００８】
【図１−１】本考案の角にＲの付いたボックスの蓋を閉めた状態の側面図である。
【図１−２】本考案の角にＲの付いたボックスの蓋を開けた時の側面図である。
【図２−１】角にＲのないタバコボックスの蓋を閉めた状態の側面図である。
【図２−２】角にＲのないタバコボックスの蓋を開けた時の側面図である。
【符号の説明】
【０００９】  １  タバコボックス本体
２  タバコボックス開閉蓋
３  旧切断線
４  本考案のスムースライン曲線（破線で表す）
５  内張り又は内箱
６  内張り又は内箱と開閉蓋との接触面
【図１−１】
0003147247.tif 000003
【図１−２】
0003147247.tif 000004
【図２−１】
0003147247.tif 000005
【図２−２】
0003147247.tif 000006
【手続補正書】
【提出日】平成20年9月18日(2008.9.18)
【手続補正１】
【補正対象書類名】実用新案登録請求の範囲
【補正対象項目名】全文
【補正方法】変更
【補正の内容】
【実用新案登録請求の範囲】
【請求項１】
タバコの箱の開閉蓋と本体との側面合わせ線が従来の形状は、斜め直線であったところを曲線に変えることにより蓋と内箱とのかみ合い、くいちがいをなくし、大きく開けてもスムーズに開閉できるようにしたところを特徴とするマジカルスムースラインタバコボックス。
(57)【要約】      （修正有） 【課題】購入者の要望に応えることができる意匠的に優れた新規な床材を提供する。【解決手段】石材１の四周に木材からなる木枠２を装着する。木枠２の巾は、それぞれ同一とする。床材をなす石材１と木枠２の上面は面一とし、木枠２の厚み即ち高さ寸法より石材１の厚みを僅に短くする。この差により、床と石材１の間に隙間を構成し、その隙間に接着剤を注入して、床板を床上に固着する。相隣り合う木枠２の外側の全長に亘ってほぞ穴４を形成し、反する相隣り合う木枠２の外側の全長に亘ってほぞ５を形成する。この構造により隣り合う床材を結合する。【選択図】図１
0003147222.tif 000002
【実用新案登録請求の範囲】
【請求項１】
平板な石材からなる方形状の石板の四周に木材からなる木枠を装着してなる床材。
【請求項２】
上記石板が正方形である上記請求項１に記載の床材。
【請求項３】
上記石板が長方形である上記請求項１に記載の床材。
【請求項４】
上記石板と木枠の上面を面一にしてある上記請求項１ないし３の何れかに記載の床材。
【請求項５】
上記木枠の高さ寸法より石板の高さ寸法を僅かに短くしてある上記請求項４に記載の床材。
【請求項６】
上記木枠の内側下方位置に接着剤注入スペースとなる切欠部を設けてある上記請求項１ないし５の何れかに記載の床材。
【考案の詳細な説明】
【技術分野】
【０００１】
本考案は、建築・住宅関連の床に敷設する床材に関する。
【背景技術】
【０００２】
建築・住宅関連の床に敷設する床材としては、木質板材を平行にして敷設するフローリングが知られている。
【考案の開示】
【考案が解決しようとする課題】
【０００３】
この床材としてのフローリングは、床材として優れている。しかし、需要者の選択としては、フローリングの色を選ぶ程度である。
最近では、この床材の意匠として、フローリングではない新しい優れた意匠の床材の出現が望まれるようになったという課題がある。
本考案は、上記課題に鑑み、意匠的に優れた床材を購入したいと考えている購入者の要望に応えることができる意匠的に優れた新規な床材を提供するものである。
【課題を解決するための手段】
【０００４】
そのために、本考案床材は、平板な石材からなる方形状の石板の四周に木材からなる木枠を装着してなるものである。
また、本考案床材は、上記石板が正方形である。
さらに、本考案床材は、上記石板が長方形であってもよい。
本考案床材は、上記石板と木枠の上面を面一にしてある。
また、本考案床材は、上記木枠の高さ寸法より石板の高さ寸法を僅かに短くしてある。
さらに、本考案床材は、上記木枠の内側下方位置に接着剤注入スペースとなる切欠部を設けてある。
【考案の効果】
【０００５】
本考案床材は、平板な石材からなる方形状の石板の四周に木材からなる木枠を装着してなるものであるから、従前公知のフローリングに比し、意匠的に斬新で優れた床材となし得た効果がある。
また、本考案床材は、上記石板が正方形であるから、また、上記石板が長方形であってもよいから、床材の組み合わせを種々選択して構成でき、更に斬新な床材となし得る効果がある。
【０００６】
本考案床材は、上記石板と木枠の上面を面一にしてあるから、床材の上面を面一の平坦なものとなし得る効果がある。
また、本考案床材は、上記木枠の高さ寸法より石板の高さ寸法を僅かに短くしてあるから、床に本考案床材を接着させる際、高さ寸法を僅かに短くしてある石板の下に接着剤を注入して、床面全体を面一の平坦な床面にすることができる効果がある。
さらに、本考案床材は、上記木枠の内側下方位置に接着剤注入スペースとなる切欠部を設けてあるから、石板に木枠を装着する接着作業が楽に行えるという効果がある。
【考案を実施するための最良の形態】
【０００７】
図面に示した実施例により本考案の詳細を説明する。
図１及び図２に本考案の床材の基本的な実施例を示してある。図中符号１が平板の石材からなる石板であり正方形である。この石板１の四周に木材からなる木枠２を装着してある。石板１の四周に装着した木枠２は、それぞれの幅を同一としてある。この基本的な実施例の一辺の寸法を３６０ｍｍとしてある。その内訳は石板１の一辺を３００．５ｍｍとしてあり、木枠２の幅を２９．７５ｍｍとしてある。
【０００８】
この床材をなす石板１と木枠２の上面は図２に示す通り面一としてあり、木枠２の厚み即ち高さ寸法より石板１の厚み即ち高さ寸法を僅かに短くしてある。具体的に木枠２の高さを１５ｍｍ±４ｍｍとし、石板１の高さを１３ｍｍ±４ｍｍとし、その差により床と石板１との間に２ｍｍの隙間を構成し、この隙間に接着剤を注入して本考案床板を床上に固着する。
また、上記木枠２の内側下方位置に接着剤注入スペースとなる切欠部３を形成してあり、この切欠部３に接着剤を注入して、石板１と木枠２を接着装着してある。
【０００９】
本考案床材は、図１及び図７に示す通り、相隣れる木枠２の外側の全長に亘ってほぞ穴４を形成し、反する相隣れる木枠２の外側の全長に亘ってほぞ５を形成してある。この構造によって隣れる床材と床材とを結合する構成にしてある。
図８には、この床材と床材との結合を構成する別の実施形を示してあり、ほぞ５を設けることなく全てをほぞ穴にし、隣れる床材のほぞ穴に木片６を嵌め込んで、床材と床材とを結合するようにしてある。
【００１０】
図３及び図４に別の実施例を示してある。この実施例の床材は、石板１を長方形にしてある。この実施例では石板１の長辺の寸法を３００．５ｍｍにし、短辺の寸法を１２０．５ｍｍにしてあり、木枠２の寸法は、上記基本的な実施例の寸法と同一としてある。従って、床材の寸法としてはその長さが３６０ｍｍであり短辺が１８０ｍｍである。
【００１１】
図５及び図６に更に別の実施例を示してあり、この実施例では図１及び図２に示した基本的な実施例の寸法の半分にしてある。即ち、床材は正方形でありその一辺の長さは１８０ｍｍにしてある。
【図面の簡単な説明】
【００１２】
【図１】本考案床材の基本的な実施例の平面図。
【図２】図１の基本的な実施例の断面図。
【図３】本考案床材の別の実施例の平面図。
【図４】図３の別の実施例の断面図。
【図５】本考案床材の更に別の実施例の平面図。
【図６】図５の更に別の実施例の断面図。
【図７】図１の基本的な実施例の一部を省略した拡大断面図。
【図８】図１の基本的な実施例の別の実施形の一部を省略した拡大断面図。
【符号の説明】
【００１３】
１    石板
２    木枠
３    切欠部
４    ほぞ穴
５    ほぞ
【図１】
0003147222.tif 000003
【図２】
0003147222.tif 000004
【図３】
0003147222.tif 000005
【図４】
0003147222.tif 000006
【図５】
0003147222.tif 000007
【図６】
0003147222.tif 000008
【図７】
0003147222.tif 000009
【図８】
0003147222.tif 000010
(57)【要約】      （修正有）【課題】吹矢競技・練習中に頻繁に使用するクリーナーの衛生的且つ容易な保管構造を提供する。【解決手段】吹矢競技や練習の際、吹矢の筒のスタンドにクリーナーを保持する部分を付加することにより、結露を拭い吹矢の筒を適正な使用状態にするために使用するクリーナーの取り出し・保持を容易にすることで、衛生的且つ快適に吹矢の競技をおこなうことを可能とする。吹矢の筒のスタンドは、多角形あるいは円形をした基台１の中心に吹矢の筒を立てる垂直な軸２を保有するものである。この基台１に、クリーナーや矢入れホルダー等を掛けるクリーナー掛け鉤６を有するクリーナ掛け棒５を支持するためのクリーナー掛け棒支持棒３を、軸２と一定の距離を離しこれと平行に設置する。このクリーナー掛け棒支持棒３には、クリーナー掛け棒５を垂直に立てるようにするための円形のクリーナー掛け棒支持金具４をクリーナー掛け棒５が円滑に挿入される形で平行に取り付ける。【選択図】図１
0003147298.tif 000002
【実用新案登録請求の範囲】
【請求項１】
基台の中央に吹矢の筒を立てる棒状突起（以下軸という）があり、同一基台上にこの軸と並列的に吹矢の筒の中の結露を拭くパイプクリーナーを掛けるための鈎の突いた棒（以下、クリーナー掛け棒という）を支持するための装置またはクリーナー掛け棒自体を備えた吹矢の筒のスタンド。
【請求項２】
該基台と該支持装置またはクリーナー掛け棒が脱着自在の２要素からなる請求１に記載の吹矢の筒のスタンド。
【請求項３】
該基台と該支持装置またはクリーナー掛け棒が一体的に形成された請求項１に記載の吹矢の筒のスタンド。
【考案の詳細な説明】
【技術分野】
【０００１】本考案は、吹矢の筒のスタンドに関する分野。
【背景技術】
【０００２】吹矢を吹く場合、通常、吹矢の筒の中に結露が生じ数本の矢を射た後は必ずこの結露をパイプクリーナー（以下クリーナーと言う）で拭う必要がある。練習等の際、練習場等では、このように頻繁に使うクリーナーを置いておく適切なところがなく、また、不注意に置けば衛生的にも問題があった。
これまでの吹矢の筒のスタンドは吹矢の筒を立てるのみの機能しかなく、本考案のようにクリーナーを保持する機能を持つものは全くなかった。
【考案の開示】
【考案が解決しようとする課題】
【０００３】本考案は、吹矢競技・練習中に頻繁に使用するクリーナーの衛生的且つ容易な保管方法を提供する。
【課題を解決するための手段】
【０００４】本考案は、吹矢の筒のスタンドにクリーナーを保持する部分を付加する。
【考案の効果】
【０００５】本考案は、吹矢競技や練習の際、吹矢の筒のスタンドにクリーナーを保持する部分を付加することにより、結露を拭い吹矢の筒を適正な使用状態にするために使用するクリーナーの取り出し・保持を容易にすることで、衛生的且つ快適に吹矢の競技をおこなうこと可能とする。
【考案を実施するための最良の形態】
【０００６】吹矢の筒のスタンドは、一般的に多角形あるいは円形をした基台１の中心に吹矢の筒を立てる垂直な軸２を保有するものである。この基台１に、クリーナーや矢入れホルダー等を掛けるクリーナー掛け鉤６を有するクリーナ掛け棒５を支持するためのクリーナー掛け棒支持棒３を、軸２と一定の距離を離しこれと平行に設置する。このクリーナー掛け棒支持棒３には、クリーナー掛け棒５を垂直に立てるようにするための円形のクリーナー掛け棒支持金具４をクリーナー掛け棒支持棒３の上部ならびに下部にクリーナー掛け棒５が円滑に挿入される形で平行に取り付ける。
この場合、クリーナー掛け棒５は、このクリーナー掛け棒支持金具４によって垂直に姿勢を保持され、基台１に固定されていない。一方、クリーナー掛け棒支持棒３は、基台１の穴に差込み又はネジによって基台１に固定されている。クリーナー掛け棒支持棒３を設けることなく、クリーナー掛け棒５を直接基台１に差込又はネジをもって固定することで実現した場合、また、クリーナー掛け棒支持棒３やクリーナー掛け棒５を基台と一体的に作った場合も本考案の権利の範囲内である。
【実施例】
【０００７】本考案のクリーナー掛け付き吹矢の筒のスタンドは、クリーナー掛け棒支持金具４ならびにクリーナ掛け鉤金具６以外の部分を木製にすると最適である。基台１を重量のあるものとすればプラスチックスで製造も可能である。【０００８】クリーナー掛け棒支持金具４は、クリーナー掛け棒５の太さとの間にがたがない適合した径とし、クリーナー掛け棒５が揺れることにより不安定とならないようにする。
【産業上の利用可能性】
【０００９】吹矢は、健康増進のためのスポーツとして高齢者や障害者を含め広く普及が始まっており、その愛好者も増加していることから、本考案は、この分野の技術として広く用いられるものと思料される。
【図面の簡単な説明】
【００１０】
【図１】パイプクリーナー掛け付き吹矢の筒のスタンドの斜視図である。
【図２】パイプクリーナー掛け付き吹矢の筒のスタンドの側面図である。
【図３】パイプクリーナー掛け付き吹矢の筒のスタンドの平面図である。
【符号の説明】
【００１１】１  基台
２  軸
３  クリーナー掛け棒支持棒
４  クリーナー掛け棒支持金具
５  クリーナー掛け棒
６  クリーナー掛け鉤金具
【図１】
0003147298.tif 000003
【図２】
0003147298.tif 000004
【図３】
0003147298.tif 000005
(57)【要約】      （修正有）【課題】テレビ受像機を高い位置にて見やすくするために、構造が簡単で割安となりしかも設置しやすいフロアスタンドを提供する。【解決手段】台盤１の上に一対の支柱２を立設し、この支柱上部には取付板３を固定し、この取付板にはテレビ受像機の裏側板４の取付孔５に対応する固定孔６を設け、取付板とテレビ受像機の裏側板の間に放熱空間の形成を自在とする。【選択図】図１
0003147291.tif 000002
【実用新案登録請求の範囲】
【請求項１】
台盤の上に一対の支柱を立設し、この支柱上部には取付板を固定し、この取付板にはテレビ受像機の裏側板の取付孔に対応する固定孔を設け、取付板とテレビ受像機の裏側板の間に放熱空間の形成を自在としたことを特徴とするテレビ受像機用フロアスタンド。
【請求項２】
支柱下部の台盤上にパソコンを収納できる収納室を設けたテレビ受像機用フロアスタンド。
【考案の詳細な説明】
【技術分野】
【０００１】
本考案は店頭や店内案内などに使用するテレビ受像機のフロアスタンドに関する。
【背景技術】
【０００２】
従来店頭や店内などの案内に使用するテレビ受像機は人の立った状態の高い位置に設けているのが一般的であるが、多くの補助金具等を必要とする複雑な構造で大掛かりとなり、割高となるばかりか設置し難いなどの欠点がある。
【考案の開示】
【考案が解決しようとする課題】
【０００３】
そこで本考案は、テレビ受像機を高い位置にて見やすくするために、構造が簡単で割安となりしかも設置しやすいフロアスタンドを提供しようとするものである。
【課題を解決するための手段】
【０００４】
台盤の上に一対の支柱を立設し、この支柱上部には取付板を固定し、この取付板にはテレビ受像機の裏側板の取付孔に対応する固定孔を設け、取付板とテレビ受像機の裏側板の間に放熱空間の形成を自在としたことを特徴とするテレビ受像機用フロアスタンドである。
【考案の効果】
【０００５】
本考案の効果として、ビス等で簡単に取付板にテレビ受像機の裏側板を固定することができしかも構造が簡単で割安となり、設置しやすい等の利点を有する。又取付板とテレビ受像機の裏側板との間には放熱空間ができ熱の篭ることが少ない。収納室にはパソコン等を収納してテレビ受像機と連繋すればコンパクトにでき使い勝手がよい。
【実施例】
【０００６】
本案を図示の実施例により詳記すると、錘等を内蔵して比較的重くし周縁を傾斜させて引っ掛かり段差を少なくした台盤１の上に一対のパイプ状の支柱２，２を立設し、この支柱２，２上部には取付板３，３を固定し、この取付板３にはテレビ受像機Ａの裏側板４の取付孔５、５、に対応する固定孔６，６を設け、取付板３とテレビ受像機Ａの裏側板４の間に放熱空間７の形成を自在としたものである。
【０００７】
放熱空間７の形成に際しては、図示のように固定孔６周縁位置の取付板３を表側に膨出させてたり、取付板３と裏側板４の間にリング等を介在させてもよく、又その他の汎用手段でもよい。
【０００８】
取付板３，３の固定孔６、６は、最低限テレビ受像機Ａの裏側板４にＶＥＳＡ規格に準拠するよう設けた取付孔４に、対応するよう設けておくが、テレビの大小などに対応できるよう複数個、複数組みを設けて対応できるようにするのがよく、更にＶＥＳＡ規格に準拠しないテレビの取付孔５にも対応できるよう複数個設けておくようにするとよい。
【０００９】
又支柱２，２は電線などが挿通できるようパイプ状にしておき、一方支柱２，２下部の台盤１上にパソコン等を収納できる収納室７を設けて、取付板３，３に固定したテレビ受像機Ａと収納室７内のパソコンを連繋する電線を挿設する。
【００１０】
取付板３にテレビ受像機Ａを取り付けるには、テレビメーカ、テレビ種類に応じその裏側板４に設けてある取付孔５に対応した固定孔６，６を選定してビス８を挿入し、対応する取付孔５に締着する。
【図面の簡単な説明】
【００１１】
【図１】本考案に係るテレビ受像機用フロアスタンドの正面斜視説明図。
【図２】同背面斜視説明図。
【図３】テレビ受像機の裏側板と取付板との締着状態の拡大説明図。
【符号の説明】
【００１２】
１：台盤
２：支柱
３：取付板
４：裏側板
５：取付孔
６：固定孔
７：収納室
８：ビス
Ａ：テレビ受像機
【図１】
0003147291.tif 000003
【図２】
0003147291.tif 000004
【図３】
0003147291.tif 000005
【手続補正書】
【提出日】平成20年10月8日(2008.10.8)
【手続補正１】
【補正対象書類名】実用新案登録請求の範囲
【補正対象項目名】全文
【補正方法】変更
【補正の内容】
【実用新案登録請求の範囲】
【請求項１】
台盤の上に一対の支柱を立設し、この支柱上部には取付板を固定し、この取付板にはテレビ受像機の裏側板の取付孔に対応する固定孔を設け、取付板とテレビ受像機の裏側板の間に放熱空間の形成を自在としたことを特徴とするテレビ受像機用フロアスタンド。
【請求項２】
支柱下部の台盤上にパソコンを収納できる収納室を設けたことを特徴とする請求項１記載のテレビ受像機用フロアスタンド。
(57)【要約】      （修正有）【課題】子供でも容易に着脱交換できて、緊張状態（ピーンと張った状態）で繋止できる雑巾モップを提供する。【解決手段】板状の木材モップ基台の下面に伸縮自在なロープを介在して、雑巾やタオルを重ね巻きした木材芯を着脱自在に取付けると共に、木材モップ基台の上面中央部に接続具を介して（前後）左右回動自在に接続したモップ取付け柄とを具備した雑巾モップとし、更に、前記木材モップ基台の下面に、凹部を刻設して、木材芯に重ね巻きした雑巾やタオルのはみ出し部を、木材モップ基台下面の凹部に収納して、木材芯を木材モップ基台に確実に着脱できるようにした。【選択図】図１
0003147294.tif 000002
【実用新案登録請求の範囲】
【請求項１】
板状の木材モップ基台と、該木材モップ基台の下面に伸縮自在な着脱具を介在して着脱自在に取付ける雑巾やタオルを重ね巻きした木材芯と、前記木材モップ基台の上面中央部に接続具を介して回動自在に接続したモップ取付け柄とを具備した雑巾モップにおいて、前記木材モップ基台下面、及び又は、前記木材芯に凹部を刻設したことを特徴とする雑巾モップ。
【考案の詳細な説明】
【０００１】
【技術分野】
【０００２】家具や木製壁やフローリング床などの清掃用の市販の柄付きモップは、モップ基台にプラスチックスなどの硬質素材が多用されている。
【考案の開示】
【考案が解決しようとする課題】
【０００３】室内、特に、テレビ台下や壁と家具の狭い間を雑巾で掃除する際には、手が入れ難く、市販のモップ基台にプラスチックス等の硬質素材を用いた柄付きモップは、硬質製のモップ基台が、タンス等家具の隅にキズを付けるなどの不具合があった。
また、日本伝統の雑巾や廃木材を有効に活用した雑巾モップが切望されていた。
【課題を解決するための手段】
【０００４】以上のような問題を解決するために、本考案では、図１と図２に図示するように、板状の木材モップ基台の下面に伸縮自在な着脱具（ロープなど）を介在して、雑巾やタオルを重ね巻きした木材芯を着脱自在に取付けると共に、木材モップ基台の上面中央部に接続具を介して（前後）左右回動自在に接続したモップ取付け柄とを具備した雑巾モップとし、更に、前記木材モップ基台の下面、及び又は、前記木材芯に、凹部を刻設して、木材芯に重ね巻きした雑巾やタオルのはみ出し部を、木材モップ基台下面、及び又は、前記木材芯の凹部に収納して、木材芯を木材モップ基台に子供でも確実に着脱できるようにした。
【考案の効果】
【０００５】本考案の雑巾モップにおいては、モップ基台と雑巾やタオルを重ね巻きした芯を木材で作り、更に、木材モップ基台の下面、及び又は、前記木材芯に凹部を刻設して、木材芯に重ね巻きした雑巾やタオルのはみ出し部を木材モップ基台下面、及び又は、前記木材芯の凹部に収納して、木材芯を木材モップ基台に子供でも確実に着脱できるようにしたので、日本伝統の雑巾や廃木材を有効に活用した雑巾モップが提供出来た。
【考案を実施するための最良の形態】
【０００６】本考案に係る一実施例を図１（ａ），（ｂ）と、図２（ｃ），（ｄ）を参照して以下説明する。
【実施例】
【０００７】本考案の実施例における図１（ａ）は、柄付きモップの主要部の斜視図で、図１（ｂ）は、木材モップ基台１の下面１ａに刻設した凹部１ｂを示す斜視図である。図２（ｃ）は、雑巾やタオル３を重ね巻きする木材芯２に凹部２ａを刻設した例を示す斜視図で、図２（ｄ）は、木材芯２に雑巾やタオル３を重ね巻きした状況を示す斜視図である。【０００８】すなわち、本実施例の雑巾モップは、廃木材を流用した板状の木材モップ基台１の下面１ａに凹部１ｂを刻設して、雑巾やタオル３を重ね巻きした木材芯２の両端からはみ出した雑巾やタオル３のはみ出し部３ａを木材モップ基台１の下面１ａ凹部１ｂに収納して、木材芯２を伸縮自在のヒモ４を介在して、子供でも容易に着脱交換できて、緊張状態（ピーンと張った状態）で繋止できるようにした。
なお、本実施例では、図２（ｃ）に図示する如く、必要あれば、木材芯２の上面のみならず、木材芯２の下面に凹部２ａを刻設して、木材芯２に重ね巻きした雑巾やタオル３の汚れ度合いに応じて、木材芯２の上面と下面を反転させて、木材モップ基台１の下面１ａに、木材芯２を子供でも容易に着脱交換できるようにした。更に、図１（ａ）に図示する伸縮自在のヒモ４の先端部を略半円状に折り返し（図示省略）、略半円状に折り返したヒモ４の先端部を木材モップ基台１に刻設した切込み部１ｃに挿入したことにより、モップ基台１で、タンス等家具にキズが付くなどの不具合が皆無になった。
【産業上の利用可能性】
【０００９】本考案は、家具と壁の間や、テレビ台下などの狭い隙間などの雑巾掛け清掃に有用で、不織布製やタオル製や化学雑巾などの長方形状の拭払布重ね巻きした木材芯を、木材製モップ基台の下面に、この拭払布を伸縮自在のヒモを介在して、子供でも容易に着脱交換できて、緊張状態（ピーンと張った状態）で繋止できる雑巾モップとした。
【図面の簡単な説明】
【００１０】
【図１】（ａ）は、柄付きモップの主要部の斜視図で、（ｂ）は、木材モップ基台の下面に刻設した凹部を示す斜視図である。
【図２】（ｃ）は、雑巾やタオルを重ね巻きする木材芯に凹部を刻設した例を示す斜視図で、（ｄ）は、木材芯に雑巾やタオルを重ね巻きした状況を示す斜視図である。
【符号の説明】
【００１１】１…    木材モップ基台
１ａ…  木材モップ基台の下面
１ｂ    木材モップ基台の下面に刻設した凹部
１ｃ    木材モップ基台に刻設した切込み部
２      雑巾やタオルを重ね巻きする木材芯
２ａ    木材芯に刻設した凹部
３…    雑巾やタオル
３ａ…  木材芯に重ね巻きした雑巾やタオルのはみ出し部
４      伸縮自在な着脱具（ロープ）
【図１】
0003147294.tif 000003
【図２】
0003147294.tif 000004
(57)【要約】      （修正有）【課題】剥離による印刷トラブルや、機械内部への巻き込みの可能性が少ない、段ボール等の印刷加工時に使用する押え板を提供する。【解決手段】該押え板ａは、壁面部を上向き斜めにした形状で、断面は台形とする。厚みエは、インクが転写しないように印版より１ｍｍ程低くする。底面ウは、両面テープ等の接着剤が施されており、自在に切断して整版フィルム等に貼り付け、印刷時の緩衝用途及び印刷の精度保持用途として使用できる。素材は軽量で弾性を有する発泡体が望ましい。【選択図】図３
0003147292.tif 000002
【実用新案登録請求の範囲】
【請求項１】
段ボール等の印刷加工時に使用する、押え版の両側壁面部を斜めにして、断面の形状が底面の長い台形にする事により安定した押え機能を有しかつ、剥離防止機能を併わせもつ、長期間安定使用可能な緩衝用押え版。
【考案の詳細な説明】
【技術分野】
【０００１】本考案は、段ボール等の印刷加工時に使用する押え版に関する。
【背景技術】
【０００２】従来、段ボールケース等の印刷加工時に於て平状の段ボールシートが、印刷機内を移動する際、シートのゆがみや反りに起因して発生する振動（バタつき）を抑制する目的で印版をセットしたフィルム（整版フィルム）に緩衝用として角形のクッション性を有した押え版が使用されている。（図１▲１▼▲２▼）
【考案の開示】
【考案が解決しようとする課題】
【０００３】  しかし、これでは高速回転で発生する押え版にかかる遠心力の作用まで考慮されておらず、度々、剥離による印刷トラブルや、機械内部への巻き込みが発生している。
【課題を解決する為の手段】
【０００４】そこで押え版の壁面部の形状を両面とも上向きに斜めとし、その断面は台形となる。（図２▲１▼▲２▼）
【考案の効果】
【０００５】よって、版胴の高速回転に伴い発生する遠心力の作用で、押え版の剥離事故を本考案の接着面をより広くする事により接着強度の増加となり、長期間安定して押え版を使用する事ができる。
【考案を実施する為の最良の形態】
【０００６】本考案に係る押え版は図２に示すように壁面部を上向き斜めにした形状で、断面は台形となる。厚みは、インクが転写しないように印版より１ｍｍ程低くする。（図２、図３）
底面は、両面テープ等の接着剤が施されており、自在に切断して整版フィルム等に貼り付け、印刷時の緩衝用途及び印刷の精度保持用途として使用できる。素材は軽量で弾性を有する発泡体が望ましい。（図２、図３）
【図面の簡単な説明】
【０００７】
【図１】▲１▼従来の押え版の全体図である。▲２▼同上の断面図である。
【図２】▲１▼本考案の押え版の全体図である。▲２▼同上の断面図である。
【図３】▲１▼印版近くに取り付けた断面図である。▲２▼印刷機の版胴にセットした図である。
【符号の説明】
【０００８】ア      押え版上面
イ      押え版壁面
ウ      底面
エ      押え版の高さ（厚み）
▲ａ▼  当該押え版
▲ｂ▼  印刷用印版
▲ｃ▼  整版フィルム
▲ｄ▼  版胴
【図１】
0003147292.tif 000003
【図２】
0003147292.tif 000004
【図３】
0003147292.tif 000005